(57)【要約】【課題】  楽曲演奏を一時停止した場合であっても、無音状態とすることなく停止時音声出力を行うことが可能な楽曲演奏一時停止機能を備えた楽曲演奏装置を提供する。【解決手段】  楽曲演奏中に、当該楽曲演奏の一時停止指令信号を受信すると、当該楽曲演奏の音声出力を一時停止させると共に、当該楽曲演奏に伴って表示されている映像を一時停止させる演奏一時停止制御を行う演奏一時停止制御手段３９と、演奏一時停止制御が行われている間、当該楽曲演奏とは異なる音声を出力させる一時停止時音声出力制御手段４０とを備える。【選択図】図１
2013054047.tif 000002
【特許請求の範囲】
【請求項１】
楽曲演奏を一時停止させた際に、映像を一時停止させて表示すると共に、一時停止時音声出力を行うことが可能な楽曲演奏装置であって、演奏一時停止制御手段と、一時停止時音声出力制御手段と、を備え、
前記演奏一時停止制御手段は、楽曲演奏中に、当該楽曲演奏の一時停止指令信号を受信すると、当該楽曲演奏の一時停止解除信号を受信するまでの間、当該楽曲演奏の音声出力を一時停止させると共に、当該楽曲演奏に伴って表示されている映像を一時停止させる演奏一時停止制御を行い、
前記一時停止時音声出力制御手段は、前記演奏一時停止制御手段による演奏一時停止制御が行われている間、前記楽曲演奏とは異なる音声を出力させる、
ことを特徴とする楽曲演奏一時停止機能を備えた楽曲演奏装置。
【請求項２】
前記演奏一時停止制御手段は、前記一時停止指令信号を受信してから所定時間が経過すると、前記一時停止解除信号を受信しない場合であっても、前記演奏一時停止制御を解除する、
ことを特徴とする請求項１に記載の楽曲演奏一時停止機能を備えた楽曲演奏装置。
【発明の詳細な説明】
【技術分野】
【０００１】
本発明は、楽曲演奏一時停止機能を備えた楽曲演奏装置に関し、特に、楽曲演奏を一時停止させた際に、映像を一時停止させて表示すると共に、一時停止時音声を出力させることが可能な楽曲演奏装置に関するものである。
【背景技術】
【０００２】
現在普及しているカラオケ演奏装置は、カラオケ演奏中に当該カラオケ演奏を一時的に停止させる機能を有している。すなわち、カラオケ演奏が開始された後に、利用者がカラオケリモコン装置の一時停止ボタン等を操作することにより、その時点でカラオケ演奏が停止し、さらに演奏再開ボタン等を操作することにより、カラオケ演奏が再開するようになっている。
【０００３】
また、カラオケ演奏装置を用いた歌唱が、ストレスの解消、脳内ホルモンの活性化、有酸素運動、仲間とのコミュニケーション等、健康に役立つことが判明しており、特に、老人介護施設や医療現場等における健康カラオケとして注目されている。このような健康カラオケでは、ただ単に歌唱を行うだけではなく、カラオケ演奏に合わせて体操を行う歌謡体操も取り入れられている。
【０００４】
従来、歌謡体操を取り込んだカラオケ演奏装置として、体操指導用の映像音楽番組を編集出力する機能を備えたものが知られている（特許文献１参照）。この特許文献１に記載された技術は、カラオケ伴奏音楽を出力する音声出力手段と、歌詞画像入りの背景映像を出力する映像出力手段と、データ記憶手段と、これら音声出力手段、映像出力手段、データ記憶手段を統括してカラオケ演奏の処理を行うコンピュータとを備えている。
【０００５】
そして、データ記憶手段に格納される体操映像データベースは、体操所作を実写した区分映像を管理し、コンピュータは、任意の体操用音楽データを音声出力手段により処理する際に、該当する体操台本データに記述された種目ＩＤの順列に従って特定される区分映像のうち、当該区分映像の出力期間における体操用音楽データの標準テンポ値に最も近いテンポ値の区分映像を映像出力手段により再生し、音声出力手段に含まれるテンポ制御系に作用して体操用音楽データの演奏テンポをテンポ値に合わせる構成となっている。
【先行技術文献】
【特許文献】
【０００６】
【特許文献１】特開２００２−１４００８０号公報
【発明の概要】
【発明が解決しようとする課題】
【０００７】
上述したように、歌謡体操を取り込んだカラオケ演奏装置は、老人介護施設や医療現場における使用が注目されているが、老人やリハビリテーションの対象者に歌謡体操を指導する際には、カラオケ演奏の一時停止機能を使用することが多々ある。すなわち、老人やリハビリテーションの対象者は、健康人と比較して運動機能が低下しているのが一般的であり、カラオケ演奏を中断せずに歌謡体操を指導することは困難な場合が多い。このため、一連の歌謡体操を適宜箇所で区切って、一つの区切り毎に体操の手順を指導している。
【０００８】
しかし、従来のカラオケ演奏装置では、カラオケ演奏を一時停止させると、その時点の停止映像は表示されるものの、音声出力も一時停止されるため、無音状態となってしまう。歌謡体操の指導は、一人の指導者が複数の者に対して行うのが一般的であり、歌謡体操の指導中における無音状態は、個別に指導を受けている者にとっては気にならないが、他の者にとっては意識が散漫となるおそれがある。
【０００９】
すなわち、歌謡体操が一時中断して無音状態となっても、個別に指導を受けていれば指導者に意識が向いて歌謡体操に集中することができるが、他の者は手持ちぶさたとなり、歌謡体操に飽きてしまったり、ストレスが溜まったりして、健康の増進を目的として歌謡体操を行っている意味が失われかねない。
【００１０】
また、一般的なカラオケ演奏の途中で一時停止を行った際にも、まったくの無音状態となったのでは、一時停止を指示した利用者以外の者にとっては無意味な無音状態であるため、場がしらけてしまったり、苛立ちを覚えたりすることがある。
【００１１】
本発明は、上述した事情に鑑み提案されたもので、楽曲演奏を一時停止した場合であっても、無音状態とすることなく楽曲演奏とは異なる音声出力を行うことが可能な楽曲演奏一時停止機能を備えた楽曲演奏装置を提供することを目的とする。
【課題を解決するための手段】
【００１２】
本発明の楽曲演奏一時停止機能を備えた楽曲演奏装置は、上述した目的を達成するため、以下の特徴点を有している。すなわち、本発明の楽曲演奏一時停止機能を備えた楽曲演奏装置は、楽曲演奏を一時停止させた際に、映像を一時停止させて表示すると共に、一時停止時音声出力を行うことが可能な楽曲演奏装置であって、演奏一時停止制御手段と、一時停止時音声出力制御手段とを備えたことを特徴とするものである。
【００１３】
演奏一時停止制御手段は、楽曲演奏中に、当該楽曲演奏の一時停止指令信号を受信すると、当該楽曲演奏の一時停止解除信号を受信するまでの間、当該楽曲演奏の音声出力を一時停止させると共に、当該楽曲演奏に伴って表示されている映像を一時停止させる演奏一時停止制御を行うための手段である。一時停止時音声出力制御手段は、演奏一時停止制御手段による演奏一時停止制御が行われている間、楽曲演奏とは異なる音声を出力させるための手段である。
【００１４】
また、上述した構成に加えて、演奏一時停止制御手段は、一時停止指令信号を受信してから所定時間が経過すると、一時停止解除信号を受信しない場合であっても、演奏一時停止制御を解除する機能を持たせることが可能である。
【００１５】
このような構成からなる楽曲演奏一時停止機能を備えた楽曲演奏装置では、例えば、利用者がカラオケリモコン装置の一時停止ボタン等を操作して一時停止指令信号が発信されて、演奏一時停止制御手段が一時停止指令信号を受信すると、当該楽曲演奏の音声出力を一時停止させると共に、当該楽曲演奏に伴って表示されている映像を一時停止させる演奏一時停止制御を行う。この演奏一時停止制御は、例えば、利用者がカラオケリモコン装置の演奏再開ボタンを操作して一時停止解除信号が発信され、演奏一時停止制御手段が一時停止解除信号を受信するまでの間、実行される。すなわち、楽曲演奏が一時停止されると、当該楽曲音声の出力は一時停止され、一時停止が解除されると、当該楽曲音声の出力が再開される。また、楽曲演奏が一時停止されると、映像は停止映像となり、一時停止が解除されると、当該映像の再生が再開される。
【００１６】
そして、演奏一時停止制御手段による演奏一時停止制御が行われている間、一時停止時音声出力制御手段の機能により、楽曲演奏とは異なる音声を出力させる。楽曲演奏とは異なる音声とは、例えば、保留音、保留を告げるメッセージ音声、当該楽曲とは異なる楽曲の演奏音声である。
【００１７】
なお、演奏一時停止制御手段の機能として、一時停止指令信号を受信してから所定時間が経過すると、一時停止解除信号を受信しない場合であっても、演奏一時停止制御を解除してもよい。
【発明の効果】
【００１８】
本発明の楽曲演奏一時停止機能を備えた楽曲演奏装置によれば、楽曲演奏を一時停止させた際に、当該楽曲演奏の音声出力を一時停止させると共に、当該楽曲演奏に伴って表示されている映像を一時停止させるが、この際、楽曲演奏とは異なる音声出力を行うので、まったくの無音状態となることはない。
【００１９】
例えば、カラオケ演奏を利用して歌謡体操を指導している際に、カラオケ演奏を一時中断させたとしても、無音状態とはならずに、一時停止に伴う音声が出力されているので、利用者が手持ちぶさたとなることがない。したがって、歌謡体操に対する興味を失わずに、健康の増進を目的とした歌謡体操の意義を十分に発揮することができる。
【００２０】
また、例えば、一般的なカラオケ演奏の途中で一時停止を行った際にも、一時停止に伴う音声が出力されているので、場がしらけてしまったり、一時停止の指示を行った利用者以外の利用者が苛立ちを覚えたりすることがなく、カラオケ本来の楽しさを損なうことがない。
【図面の簡単な説明】
【００２１】
【図１】本発明の実施形態に係る楽曲演奏一時停止機能を備えたカラオケ演奏装置の構成を示すブロック図。
【図２】映像表示例を示す説明図。
【図３】一時停止制御の一例を示すフローチャート。
【図４】一時停止制御の他の例を示すフローチャート。
【発明を実施するための形態】
【００２２】
以下、図面を参照して、本発明の楽曲演奏一時停止機能を備えた楽曲演奏装置の実施形態について説明する。なお、以下の実施形態では、楽曲演奏装置としてカラオケ演奏装置を例にとって説明を行う。図１は本発明の実施形態に係るカラオケ演奏装置の構成を示すブロック図、図２は映像表示例を示す説明図、図３及び図４は一時停止制御を示すフローチャートである。
【００２３】
＜楽曲演奏一時停止機能を備えた楽曲演奏装置の概要＞
本発明の実施形態に係る楽曲演奏一時停止機能を備えた楽曲演奏装置は、例えば、カラオケ演奏装置に適用されるものであり、カラオケ演奏を一時停止させた際に、カラオケ演奏の音声出力を一時停止させると共に、当該カラオケ演奏に伴って表示されている映像を一時停止させ、さらに、当該カラオケ演奏とは異なる一時停止時音声の出力を行うものであって、演奏一時停止制御手段と、一時停止時音声出力制御手段とを備えて構成される。これらの手段については、後に詳述する。
【００２４】
上述した各手段及び以下に説明する各手段は、例えば、ＣＰＵ等のハードウェアが、ＲＯＭ等に記憶されたプログラムに従って動作することにより実現されるものである。なお、プログラムとは、ＲＡＭ等に記憶され、ＣＰＵ等のハードウェアで実行されることにより、その機能を発揮するソフトウェアだけではなく、同等の機能を発揮することが可能な論理回路も含む概念である。
【００２５】
＜カラオケ演奏装置＞
本発明の実施形態に係る歌詞文字表示システムを適用するカラオケ演奏装置１０は、図１に示すように、カラオケ本体２１、カラオケリモコン装置２２、スピーカ２３、マイクロホン２４、表示装置２５、ミキシングアンプ２６を備えている。
【００２６】
＜カラオケリモコン装置＞
カラオケリモコン装置２２は、ユーザインタフェース機能を備えており、カラオケ本体２１の送受信手段３５との間で有線方式又は無線方式によりデータの送受信を行うようになっている。このカラオケリモコン装置２２は、楽曲検索手段２２ａとして機能するプログラム、楽曲索引データベース２２ｂ、データの送受信を行うための電子回路及びプログラム、フラッシュメモリ等からなる記憶手段（図示せず）を備えている。このカラオケリモコン装置２２に付帯するスイッチ類や、入出力表示部（図示せず）に表示される各種のアイコン等を操作することにより、選曲操作を行ったり、一時停止指令信号及び一時停止解除信号を発信したりすることができる。
【００２７】
＜楽曲検索手段／楽曲索引データベース＞
楽曲検索手段２２ａは、利用者の指示に基づき、楽曲索引データベース２２ｂを参照して楽曲を検索するためのプログラムからなる。楽曲索引データベース２２ｂは、カラオケ本体２１で演奏に供されるカラオケ楽曲について、その属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。
【００２８】
＜マイクロホン＞
マイクロホン２４は、歌唱音声の入力を行うための装置である。マイクロホン２４から入力された歌唱音声信号は、ミキシングアンプ２６により、音楽再生制御手段３７から送出される演奏音声信号とミキシングされると共に増幅され、スピーカ２３へ出力される。
【００２９】
＜表示装置＞
表示装置２５は、カラオケ楽曲に関連した背景映像や歌詞テロップ等を表示するための装置で、例えば、液晶ディスプレイ等により構成される。この表示装置２５は、一般的に普及している液晶ディスプレイ等であってもよいし、フルハイビジョンに対応した液晶ディスプレイ等であってもよい。
【００３０】
＜カラオケ本体＞
カラオケ本体２１は、図１に示すように、中央制御手段３１、ＲＯＭ３２、ＲＡＭ３３、ＨＤＤ３４、送受信手段３５、予約管理手段３６、音楽再生制御手段３７、映像再生制御手段３８、演奏一時停止制御手段３９、一時停止時音声出力制御手段４０を備えている。
【００３１】
＜中央制御手段＞
中央制御手段３１は、カラオケ本体２１を総合的に制御するための手段であり、例えばＣＰＵ及びその周辺機器により構成されており、ＣＰＵ等がＲＯＭ３２等に記憶されたプログラムに従って動作することにより、制御機能を発揮することができるようになっている。
【００３２】
＜ＲＯＭ／ＲＡＭ＞
ＲＯＭ３２は、カラオケ本体２１を構成する各機器を制御するためのプログラムデータや数値データを記憶するための機器で、例えば半導体メモリ等で構成される。また、ＲＡＭ３３は、プログラムや各種データを一時的に記憶する一時記憶領域として機能するもので、例えば半導体メモリ等で構成される。なお、物理的な半導体メモリによりＲＡＭ３３を構成するのではなく、ハードディスク記憶装置等を用いて仮想的なＲＡＭ３３を構成してもよい。
【００３３】
本実施形態では、ＲＡＭ３３に、予約待ち行列３３ａが記憶されている。予約待ち行列３３ａは、選曲予約されたカラオケ楽曲について、演奏順に楽曲ＩＤを並べて構成されたデータテーブルであり、選曲者の利用者ＩＤ等、他の識別データが紐付けられている場合もある。
【００３４】
＜ＨＤＤ＞
ＨＤＤ３４は、大容量記憶装置として機能するもので、楽曲データベース３４ａ、映像データベース３４ｂ、一時停止時音声データ３４ｃが格納されている。なお、ＨＤＤ３４に替えて、あるいはＨＤＤ３４と共に、データを書き替え可能なＤＶＤ等の大容量記憶装置を用いてもよい。
【００３５】
＜楽曲データベース／映像データベース＞
楽曲データベース３４ａは、演奏データ（ＭＩＤＩ（登録商標）データ）及び歌詞描出データが同期されて構成される楽曲データについて、楽曲ＩＤと対応付けてそれぞれ構成されたデータベースである。演奏データは、各楽曲の演奏を制御するためのデジタルデータであり、歌詞描出データは演奏に同期した歌詞文字データ、歌詞文字の表示タイミングデータ及び色変わりデータを含んでいる。映像データベース３４ｂは、演奏されるカラオケ楽曲に対応して表示される背景映像を、当該カラオケ楽曲の楽曲ＩＤに対応させた映像ファイルとして所定数格納したデータベースである。
【００３６】
＜一時停止時音声データ＞
一時停止時音声データ３４ｃは、演奏一時停止制御手段３９により演奏一時停止制御が行われている際に、一時停止時音声出力制御手段４０により出力される音声データである。一時停止時音声とは、例えば、保留音、保留を告げるメッセージ音声、当該楽曲とは異なる楽曲の演奏音声等である。
【００３７】
また、ＨＤＤ３４に格納される一時停止時音声データ３４ｃは、１つのみであってもよいし、複数格納されていてもよい。複数の一時停止時音声データ３４ｃが格納されている場合には、サービスマンや利用者の設定指示に応じて一時停止時音声データ３４ｃを選択してもよいし、楽曲毎に対応する一時停止時音声データ３４ｃを設定してもよいし、ランダムに一時停止時音声データ３４ｃを選択してもよい。
【００３８】
＜一時停止時音声データの出力方法＞
一時停止時音声データ３４ｃは、演奏一時停止制御手段３９により演奏一時停止制御が行われている際に出力されるが、その出力開始時にフェードインしてもよいし、所定時間経過後に一時停止制御が解除されるモードの場合には、その解除前にフェードアウトしてもよい。
【００３９】
＜一時停止時音声データの選択方法＞
一時停止音声データ３４ｃに対して、カラオケ楽曲に付加されているジャンルやリリース年、流行年などの属性情報と同様に属性情報を付加し、一時停止されるカラオケ楽曲と合致する属性情報が付加された一時停止音声データ３４ｃを自動選択してもよい。
【００４０】
＜送受信手段＞
送受信手段３５は、カラオケ本体２１とカラオケリモコン装置２２との間で、データの送受信を行うための電子回路及びプログラムからなる。本実施形態では、赤外線通信により、カラオケ本体２１とカラオケリモコン装置２２との間でデータの送受信が行われる。
【００４１】
＜予約管理手段＞
予約管理手段３６は、利用者により楽曲検索手段２２ａの機能を用いて選曲された楽曲の楽曲ＩＤを演奏順に並べて予約待ち行列３３ａを生成し、この予約待ち行列３３ａをＲＡＭ３３に格納して管理するためのプログラムからなる。カラオケ演奏は、予約待ち行列３３ａに登録された楽曲ＩＤ順に行われ、演奏が終了した楽曲及び予約をキャンセルした楽曲については、その楽曲ＩＤが予約待ち行列から削除される。
【００４２】
＜音楽再生制御手段＞
音楽再生制御手段３７は、楽曲ＩＤに基づいて楽曲データベース３４ａから抽出された演奏データに基づいて、音源データをデジタル再生すると共にアナログ変換してミキシングアンプ２６に出力するための電子回路である。上述したように、ミキシングアンプ２６は、マイクロホン２４から入力された歌唱者の歌唱音声信号と、音楽再生制御手段３７から送出される演奏音声信号とをミキシングすると共に、アンプ機能により増幅してスピーカ２３より出力させるための装置である。
【００４３】
＜映像再生制御手段＞
映像再生制御手段３８は、カラオケ楽曲を演奏する際に、映像データベース３４ｂから抽出した当該カラオケ楽曲の背景映像データと、演奏データに含まれる歌詞描出データに基づいて生成される歌詞文字とを、当該カラオケ楽曲の演奏データに同期させて表示装置２５に出力するためのプログラムからなる。
【００４４】
＜演奏一時停止制御手段＞
演奏一時停止制御手段３９は、カラオケ演奏中に、当該カラオケ演奏の一時停止指令信号を受信すると、当該カラオケ演奏の一時停止解除信号を受信するまでの間、当該カラオケ演奏の音声出力を一時停止させると共に、当該カラオケ演奏に伴って表示されている映像を一時停止させる演奏一時停止制御を行うためのプログラムからなる。
【００４５】
すなわち、任意のカラオケ楽曲が演奏されている際に、利用者がカラオケリモコン装置２２を操作する等して、一時停止指令信号が発信され、演奏一時停止制御手段３９がこの一時停止指令信号を受信すると、現在演奏中のカラオケ楽曲について音声出力を一時停止させると共に、背景映像及び歌詞テロップの表示を一時停止させる。これにより、音楽再生制御手段３７は当該楽曲の演奏音声信号の出力を停止し、映像再生制御手段３８は停止映像を表示させる。
【００４６】
この演奏一時停止制御は、利用者がカラオケリモコン装置２２を操作する等して、一時停止解除信号が発信され、演奏一時停止制御手段３９がこの一時停止解除信号を受信するまでの間、あるいは所定時間が経過するまでの間、実行される。
【００４７】
＜一時停止時音声出力制御手段＞
一時停止時音声出力制御手段４０は、演奏一時停止制御手段３９による演奏一時停止制御が行われている間、楽曲演奏とは異なる音声を出力させるためのプログラムからなる。すなわち、演奏一時停止制御が行われている間は、一時停止時音声出力制御手段４０により、ＨＤＤ３４に格納されている一時停止時音声データ３４ｃが出力される。これにより、音楽再生制御手段３７は当該楽曲の演奏音声信号に代えて、一時停止時音声データ３４ｃを音声信号として出力する。
【００４８】
＜演奏一時停止制御処理＞
図２〜図４を参照して、本実施形態の演奏一時停止制御処理について説明する。例えば、歌謡体操を行わせるためのカラオケ楽曲が演奏されると、図２に示すように、表示装置２５の表示画面には、歌詞と共に、体操の模範演技映像及び体操の説明が表示される。なお、図２に示す例では、矢印で示す順に映像が連続的に表示される。
【００４９】
図３に示すように、カラオケ楽曲が演奏されている際に（Ｓ１）、利用者の操作により、一時停止指令信号が発信され、演奏一時停止制御手段３９が当該一時停止指令信号を受信すると（Ｓ２）、演奏一時停止制御手段３９の機能により、現在演奏中のカラオケ楽曲の音声出力を一時停止させると共に、背景映像及び歌詞テロップの表示を一時停止させる（Ｓ３）。
【００５０】
そして、一時停止時音声出力制御手段４０の機能により、ＨＤＤ３４に格納されている一時停止時音声データ３４ｃを出力する（Ｓ４）。これにより、スピーカ２３から、カラオケ演奏音に代えて一時停止時音声が出力される。例えば、図２に示す「４」で、一時停止指令信号を受信した場合には、「４」の映像が一時停止表示されると共に、カラオケ演奏音に代えて一時停止時音声が出力される。
【００５１】
そして、利用者の操作により、一時停止解除信号が発信され、演奏一時停止制御手段３９が当該一時停止解除信号を受信すると（Ｓ５）、演奏一時停止制御手段３９による演奏一時停止制御が解除され、一時停止していたカラオケ演奏が再開される（Ｓ６）。上述した例では、図２に示す「４」で一時停止していた映像の再生が再開され、順次「５」、「６」の映像に連続的に移行する。また、一時停止していたカラオケ演奏が再開される。
【００５２】
また、図４に示すように、演奏一時停止制御手段３９が一時停止解除信号を受信しない場合であっても、所定時間が経過すると、一時停止制御を解除してもよい。図４に示す演奏一時停止制御処理では、ステップ１１（Ｓ１１）〜ステップ１４（Ｓ１４）は、図３に示す制御処理のステップ１（Ｓ１）〜ステップ４（Ｓ４）と同様の処理が行われる。そして、利用者の操作により、一時停止解除信号が発信され、演奏一時停止制御手段３９が一時停止解除信号を受信するか（Ｓ１５−１）、所定時間が経過すると（Ｓ１５−２）、演奏一時停止制御手段３９による演奏一時停止制御が解除され、一時停止していたカラオケ演奏が再開される（Ｓ１６）。
【００５３】
＜他の実施形態＞
本発明の楽曲演奏一時停止機能を備えた楽曲演奏装置は、カラオケ演奏装置１０だけではなく、楽曲及び映像を表示する他の楽曲演奏装置にも適用することができる。すなわち、本発明の楽曲演奏一時停止機能を備えた楽曲演奏装置は、カラオケ歌唱を行わせるカラオケ演奏装置１０だけではなく、歌謡体操の指導を目的とした楽曲演奏装置等に広く適用することができる技術である。
【００５４】
また、楽曲演奏装置及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。さらに、カラオケ本体２１をカラオケサーバとネットワーク接続することにより、利用者情報等を一元的に管理することができる。
【符号の説明】
【００５５】
１０  カラオケ演奏装置
２１  カラオケ本体
２２  カラオケリモコン装置
２２ａ  楽曲検索手段
２２ｂ  楽曲索引データベース
２３  スピーカ
２４  マイクロホン
２５  表示装置
２６  ミキシングアンプ
３１  中央制御手段
３２  ＲＯＭ
３３  ＲＡＭ
３３ａ  予約待ち行列
３４  ＨＤＤ
３４ａ  楽曲データベース
３４ｂ  映像データベース
３４ｃ  一時停止時音声データ
３５  送受信手段
３６  予約管理手段
３７  音楽再生制御手段
３８  映像再生制御手段
３９  演奏一時停止制御手段
４０  一時停止時音声出力制御手段
【図１】
2013054047.tif 000003
【図２】
2013054047.tif 000004
【図３】
2013054047.tif 000005
【図４】
2013054047.tif 000006